(57)【要約】  本発明は、トラスを構成するため、直線の部品、管ロッド、梁の間で相互接続するために用いる様々な機械的なジョイント・ノードに関する。トラス構造のすべての場合において、主な問題は直線の部品を相互接続する方法であり、現在までの実行法は、相互接続および設計上のデザインの適応性における均一の固定した機械的な強度を確実にすることができる標準化されたジョイント・ノードまたは直線の部分の大量生産のための限られた可能性を有する。本発明は、横方向の動きで相互接続することができ、かつ、小さい回転でかみあうことができ、直線の部品（２１）（２５）の端で固定され、ノード（３） （４） （５） （６） （７）のアームにおいて埋め込まれた、それらの２つの端（２２Ｒ）（２３Ｌ）およびそれぞれノードのアーム（３Ｌ）（３Ｒ）（４Ｌ）（４Ｒ）（５Ｌ）（５Ｒ）（６Ｌ）（６Ｒ）（７Ｌ）（７Ｒ）で、対向したねじ切りでどちらか１つの方向に回転することによって、直線の部品（２１）（２５）をねじ止め、および、緩める方法を考案するように、雄（４７）および雌（４８）部品からなる２部品の機械的なコネクタと同様に、移動アーム（３） （４） （５） （６） （７）での可変自動調整角を有するジョイント・ノードの組み立てのための標準の構成要素の連続した種類と、固定角度（８） （９） （１０） （１１） （１２） （１３） （１４） （１５）での標準のジョイント・ノード、および、ディスク（４９）または球体の形状を有する連続した種類とデザインを達成した。上記のすべてのものは、標準化した工業的な方法で作成され、相互接続の位置で均一の固定した機械的な強度、設計におけるデザインの適応性、および、コストの有意な引き下げを提供する。本発明は、構造、建築、および、装飾的なデザインにおいて使うことができるが、橋、被災地域の特別なニーズにおける即座の覆いの居住施設、温室、足場、小屋、塔、教育分野のゲームなどのモジュール組立体にも使うことができる。
2010523848.tif 000002
【特許請求の範囲】
【請求項１】
いかなる材料からいかなるサイズにも構成されるあらゆる形状、サイズまたは強度のトラスの構造のための管ロッドまたは中空の梁の相互接続のための可変または固定ジョイント・ノードであって、該可変ノードが、５つの部品、２つの同一の大きい移動アーム（４） （５） （６） （７）の特別な孔に挿入される２つの同一の小さい移動アーム（３）から構成され、すべての該部品が一緒に車軸（１）に組立てられ、ナット（２）または他の方法で端に固定されることと、該アームおよび車軸の端の断面、すなわち相互接続のための容器が、該それぞれの管ロッドまたは梁、および、相互接続の方法に適合するためにいかなる形状も有することと、該固定ノードが、該可変ノードのそれぞれの形状に対応する様々な形状、および、サイズ（８） （９） （１０） （１１） （１２） （１３） （１４）（１５）の単一の構成要素であることと、該可変ジョイント・ノードにおいて、該トラスの所望の形状に従って、２つの大きい移動アーム（４） （５） （６） （７）の間で形成される角度Ｘが変化し、該車軸（１）上の該２つの大きいアームの自在の回転によって自動調節することができ、１つの大きい（４） （５） （６） （７）および１つの小さい（３）移動アームの間で形成される角度Ｙが変化し、該車軸（１）上の該小さい移動アーム（３）の自在の回転で、該小さい移動アームの断面の幅より大きい回転方向において開く長さを有する関連する該大きい移動アーム（４） （５） （６） （７）上の該孔により可能な限度の範囲内で自動調節することができ、一方で、該固定ジョイント・ノード（８） （９） （１０） （１１） （１２） （１３） （１４） （１５）において、該角度ＸおよびＹが予め選択され、各々の用途の必要性により特定なものであることと、いかなる断面の管ロッドまたは梁の直線の部品との相互接続も、ねじ止め（１６）または貫通ピンボルト（１７）、および／または溶接（１８） （１９）、または、２部品の機械的なコネクタ（４７）（４８）で達成され、その１つの部品が該ノードの該アームの後ろに適合される、または、製造において該ノードに埋め込まれ、他方の部品が、該管ロッドまたは梁の端に適合され、一方で、ねじ止め（１６）による管の該直線の部品の相互接続の場合、該直線の部品（２１）（２５）および２つのノードにおいてそれぞれ対向して配置された容器は対向したねじ切り（２２Ｒ）（２３Ｌ）（３Ｌ）（３Ｒ）（４Ｌ）（４Ｒ）（５Ｌ）（５Ｒ）（６ＬＬ）（６Ｒ）（７Ｌ）（７Ｒ）を有するので、該直線の部品は、一方向へ回転することによって両側にねじ込まれ、もう一方へ回転することにより緩められることと、同じサイズの２つの大きい移動アーム（４） （５） （６） （７）は、すなわち（４）および（５）、または、（４）および（６）、または、（４）および（７）、または、（５）および（６）、または、（５）および（７）、または、（６）および（７）が、等しいサイズ車軸（１）上で２つの等しいサイズの小さい移動アーム（３）と共に組立てられ、したがって、該それぞれの組み合わされた可変ノード（４１）（４２）（４３）（４４）（４５）（４６）を作成することとにおいて特徴付けられる、可変または固定ジョイント・ノー���。
【請求項２】
請求項１に記載のいかなる材料からいかなるサイズにも構成されるあらゆる形状、サイズまたは強度のトラス構造のため管ロッドまたは中空の梁の相互接続のための可変ジョイント・ノードであって、前記２つの同一の大きい移動アーム（４）が、前記車軸（１）に垂直に前記２つの小さい移動アーム（３）と同じ平面で移動する直線の部品（２１）との相互接続のために各々１つの容器を有するので、該２つの小さい移動アームの該容器に沿って、直線（２０）または屈曲された（２６）または他のいかなる形状（２８）（２９）の単一の側面の二次元のトラスを構成することも可能であることと、該トラスが、平坦な（２４）または屈曲された（２７）または他の形状の三次元トラスを構成するため、該車軸（１）の該容器により直線の部品（２５）と互いに平行して相互接続することと、代わりに、該２つの同一の大きい移動アーム（５）が、それらの間で固定角を形成し、該車軸（１）に垂直に該小さい移動アームと同じ平面において移動する直線の部品（２１）との相互接続のために、各々２つの容器を有するので、該２つの小さい移動アームの容器に沿って、直線（３０）または屈曲された（３２）または他の形状の二重の二次元のトラスを構成することが可能であることと、上記のものが、平坦な（３１）または屈曲した、または他の形状の三次元トラスを構成するため、該車軸（１）の該容器により該直線の部品（２５）でそれらの間においてで平行に相互接続することと、代わりに、該２つの同一の大きい移動アーム（６）が、それらの間で固定角を形成し、該２つの小さい移動アーム（３）の平面に垂直である該車軸（１）と同じ平面である該直線の部品（２１）との相互接続のために、各々２つの容器を有するので、該２つの小さい移動アームの該容器に沿って、直線（３３）または屈曲された（３５）または単一の側の他の形状の三次元のトラスを構成することが可能であることと、該上記のトラスが、平坦（３４）または屈曲された（３６）または他の形状の三次元の単一の側のトラスを形成するため、該車軸（１）の該容器を通じて該直線の部品（２５）とそれらの間で平行に相互接続する、または、より大きい強度の直線または屈曲された（３７）（３８）または他の形状の三次元の単一の側のトラスを形成するため直接それらの間で相互接続することと、代わりに、該２つの同一の大きい移動アーム（７）が、各々が該直線の部品（２１）との相互接続のための４つの容器を有し、２つがそれらの間で固定角を形成し、それらは互いに該車軸で交差する２つの面に位置し、固定角を形成し、該２つの大きい移動アームの２つの隣接したそのような面は、それらの間に可変角度Ｘを形成するので、該２つの小さい移動アーム（３）の該容器に沿って、直線（３９）または屈曲されたまたは他の形状の二重の側の三次元のトラスを構成することが可能であることと、該上記のトラスが、大きい容積および強度の、平坦なまたは屈曲されたまたは他の形状のトラスを形成するため、該車軸（１）の該容器により該直線の部品（２５）でそれら間において平行に相互接続する、または、非常に大きい強度の直線の（４０）または屈曲されたまたは他の形状のトラスを形成するため、直接それらの間で相互接続することとにおいて特徴付けられる、可変ジョイント・ノード。
【請求項３】
請求項１および２に記載のいかなる材料からいかなるサイズにも構成されるあらゆる形状、サイズもまたは強度のトラスの構造のための管ロッドまたは中空の梁の相互接続のための固定ジョイント・ノードであって、それが、前記車軸（１）の前記２つの容器、前記２つの大きい移動アーム（４）の前記２つの容器、および、前記それぞれの可変ノードの前記２つの小さい移動アーム（３）の前記２つの容器に対応する直線の部品（２１）（２５）との相互接続のために全体で６つの容器（８） （１２）を有することと、平行の相互接続（２４）で二次元の直線のトラス（２０）および三次元の平坦なトラスを構成することが可能であるように前記角度Ｘ‐Ｙの合計が２Ｙ+Ｘ=１８０°（８）、または、平行の相互接続（２７）で、二次元の屈曲されたトラス（２６）および三次元の屈曲されたトラスを構成することが可能であるように各々の用途の必要条件により選ばれる２Ｙ+Ｘの合計が１８０°よりも大きいまたは小さいように固定されて特定なものであることと、代わりに、それが、該車軸（１）の該２つの容器、該２つの大きい移動アーム（５）の該４つの容器、および、該それぞれの可変ノードの該２つの小さい移動アーム（３）の該２つの容器に対応する該直線の部品（２１）（２５）との相互接続のために全体で８つの容器（９）（１３）を有することと、平行の相互接続（３１）で二次元の直線の二重の横のトラス（３０）および三次元の平坦な二重横のトラスを構成することが可能であるように該角度Ｘ‐Ｙの合計が２Ｙ+Ｘ=１８０°（９）、または、平行の相互接続で二次元の二重の横の屈曲されたトラス（３２）および三次元の二重の横の屈曲されたトラスを構成することが可能であるように各々の用途の必要条件により選ばれる２Ｙ+Ｘの合計が１８０°（１３） よりも大きいまたは小さいように固定されて特定なものであることと、代わりに、それが、該車軸（１）の該２つの容器、該２つの大きい移動アーム（６）の該４つの容器、および、該それぞれの可変ノードの該２つの小さい移動アーム（３）の該２つの容器に対応する該直線の部品（２１）（２５）との相互接続のために全体で８つの容器（１０）（１４）を有することと、平行（３４）または直接の相互接続で三次元の直線のトラス（３３）および三次元の平坦なトラスを構成することが可能であるように該角度Ｘ‐Ｙの合計が２Ｙ+Ｘ=１８０°（１０）、または、平行の相互接続（３６）および直接の相互接続（３７）（３８）で三次元の単一の横の屈曲されたトラス（３５）を構成することが可能であるように各々の用途の必要条件により選ばれる２Ｙ+Ｘの合計が１８０°（１４） よりも大きいまたは小さいように固定されて特定なものであることと、代わりに、それが、該車軸（１）の該２つの容器、２つの大きい移動アーム（７）の該８つの容器、および、該それぞれの可変ノードの該２つの小さい移動アーム（３）の該２つの容器に対応する該直線の部品（２１）（２５）との相互接続のために全体で１２の容器（１１）（１５）を有することと、平行および／または直接の相互接続（４０）、三次元の直線の二重横のトラス（３９）を構成することが可能であり平坦であるように該角度Ｘ-Ｙの合計が２Ｙ+Ｘ=１８０°（１１）、また���、平行および／または直接の相互接続で三次元の二重の横の屈曲されたトラスを構成することが可能であるように各々の用途の必要条件により選ばれる２Ｙ+Ｘの合計が１８０°（１５） よりも大きいまたは小さいように固定されて特定なものであることとにおいて特徴付けられる、固定ジョイント・ノード。
【請求項４】
請求項１および２に記載のいかなる材料からいかなるサイズにも構成されるあらゆる形状サイズ、または、強度のトラスの構造のための、管ロッドまたは中空の梁の相互接続のための可変ジョイント・ノード（４１）（４２）（４３）（４４）（４５）（４６）であって、それらがそれぞれ、同じサイズの車軸（１）上に２つの同じサイズの小さい移動アーム（３）で組み立てられ、相互接続される同じサイズの異なるタイプ（４） （５） （６） （７）の２つの大きい移動アームを有するので、それらは、６つの可能な組み合わせ、すなわち、 （４） と （５） （４１）、（４） と （６） （４２）、（４） と （７） （４３）、（５） と （６） （４４）、（５） と （７） （４５）、（６） と （７） （４６）から可変ジョイント・ノードを形成することにおいて特徴付けられる、可変ジョイント・ノード。
【請求項５】
請求項１、２、３および４に記載のいかなる材料からいかなるサイズにも構成されるあらゆる形状サイズ、または、強度のトラスの構造のための、管ロッドまたは中空の梁の相互接続のための可変または固定ジョイント・ノードであって、前記アームの前記容器が、製造から埋め込まれる、または、いかなる材料からいかなるサイズにも構成される２部品の機械的なコネクタの前記雄（４７）または前記雌部品（４８）が後で適合され、このコネクタの他の部品が該トラスの前記直線の部品の端で適合することと、該２部品（４７）（４８）は、横方向の動きおよび最高９０°で互いに回転することによるかみあいにより共に連結されることと、該雄部品（４７）が、前記シリンダの内側または外側の表面においてねじ切りの有無にかかわらずより小さい直径のそれぞれの同軸の円柱形の孔を有して円柱形の形状を一端で有し、一方で本体の残りの長さは、より小さい直径のそれぞれの同軸の貫通孔を有し、他端の外側よりも小さい直径の円柱形の形状を有し、さらに、２つの端で円形の形状を有し、２つの側部で平坦である１つまたは２つ以上の翼を軸に垂直に有する、すなわち、各々の翼の周辺部の表面は、その反対の側から切り抜かれた２つの平行したアーチを有する円であり、該２つの平坦な側の間の幅は該小さいシリンダの直径に等しいことと、該雌部品（４８）が、該雄部品のように該シリンダの内側または外側表面上のねじ切りの有無にかかわらずより小さい直径の同軸の円柱形の孔を有する円柱形の形状を有し、その本体に沿った長さにおいて、平行の平坦な側部を有し、該雄部品の該翼の該平坦な側部と等しい幅の側溝が存在することと、該側溝は、該軸上にその中心を有し、該雄部品の該翼を有する該小さいシリンダのそれと同じ直径を有して下部で円形の表面を有し、該シリンダの軸に対して垂直に、それぞれの位置で円形の形状および該雄部品の翼と同じ寸法の溝を有するので、該翼は該溝内で正確に適合することができ、一方で、平行四辺形の代わりに、該雄部品（４７）における該翼の形状／横断面は、楔の上部で円形の形状を有する円錐‐楔であり、該雌部品（４８）におけるそれぞれの溝は、かみあいのための回転の終わりにプラグまたはばね、またはしっかりした適合、または他の方法でシステムによって最終的な位置で固定されるより良い適合、より簡単な連結、および、該２部品のかみあいのために類似した形状を有することと、該雄（４７）または雌（４８）部品の外側の形状は、円柱形の代わりに円錐、平行６面体、多角形のような他のいかなる形状も有することができることとにおいて特徴付けられる、可変または固定ジョイント・ノード。
【請求項６】
請求項１、２、３および４に記載のいかなる材料からいかなるサイズにも構成されるあらゆる形状サイズ、または、強度のトラスの構造のための、管ロッドまたは中空の梁の相互接続のための可変または固定ジョイント・ノードであって、ねじ止め（１６）により該トラス構造のために使われる、前記アーム、前記車軸、および、前記直線の部品の相互接続のためのいくつかの前記容器が、それらの端（３Ｌ） （３Ｒ） （４Ｌ） （４Ｒ） （５Ｌ） （５Ｒ） （６Ｌ） （６Ｒ） （７Ｌ） （７Ｒ） （２２Ｒ） （２３Ｌ）で対向したねじ切りを有することと、１つのトラスに２種類のノードが存在し、該車軸の２つの端の１つの容器、および、左のねじ切りを有する２つの小さい移動アーム（３Ｌ）のうちの１つの容器といった２（または３）の特定のものを除き、右のねじ切り（３Ｒ）（４Ｒ）（５Ｒ）（６Ｒ）（７Ｒ）を有するすべての容器を有する右にねじ切りされたもの（２０Ｋ）（３３Ｈ）（３９Ｃ）、および、反対の状態を有する該右にねじ切られたものから該トラスのノードの対向する平面で組立てられる左にねじ切られたもの（２０Ｊ）（３３Ｇ）（３９Ｂ）すなわち該車軸の１つと右のねじ切りを有する１つの小さいアーム（３Ｒ）の１つとを除いた左のねじ切り（３Ｌ） （４Ｌ） （５Ｌ） （６Ｌ） （７Ｌ）を有するすべての容器が存在することと、同じタイプのノード、右にねじ切りされたノード、および、左にねじ切りされたノードは、該トラスにおいてノードの同じ平面に互いに隣り合って組立てられ、異なるタイプはノードの次の平面において組立てられることとにおいて特徴付けられる、可変または固定ジョイント・ノード。
【請求項７】
請求項１、３、５および６に記載のいかなる材料からいかなるサイズにも構成されるあらゆる形状サイズ、または、強度のトラスの構造のための、管ロッドまたは中空の梁の相互接続のための固定ジョイント・ノードであって、それが、特定の直径および幅を有するディスクの形状を有し、前記車軸（１）が該ディスクの側部に垂直に中心に適合され、それが、二次元のトラス（８） （９） （１２） （１３）の構造のため、該固定ノードを置き換えることと、それが、各々の用途のために必要とされるあらゆる角度および位置でその周辺において容器-孔を軸方向に有する、または、該容器の代わりに、使われる相互接続方法に従って、該周辺部から延長している適切な形状のアームを有し、それは前記直線の部品（２１）（２５）の端で、該車軸の容器またはアーム、および、ディスク・ノードおよび他の周辺部に適合した１つの部品（４７）または（４８）により２部品の機械的なコネクタ、または、２つのディスク・ノード（３Ｌ） （３Ｒ） （４Ｌ） （４Ｒ） （５Ｌ） （５Ｒ）のそれぞれの容器におけるそれらの端（２２Ｒ）（２３Ｌ）で対向したねじ切りにより該直線の部品（２１）（２５）をねじ止めする（１６）方法、または通しボルトまたはピン（１７）および／または溶接（１８） （１９）で使用され、一方、該ディスクの周辺部にある軸方向の容器‐孔またはアームが‐４５°毎で８つである場合、該ディスク周辺において２つの位置が、それら間において９０°で、該ディスクの他のすべてに対向したねじ切りを有する、該直線の部品（２１）（２５）の相互接続のための対向したねじ切り方法の実施のために合計３の該車軸（１）の一端に沿って存在することとにおいて特徴付けられる、固定ジョイント・ノード。
【請求項８】
請求項１、３、５および６に記載のいかなる材料からいかなるサイズにも構成されるあらゆる形状サイズ、または、強度のトラスの構造のための、管ロッドまたは中空の梁の相互接続のための固定ジョイント・ノードであって、それが、特定の直径の球体の形状を有し、三次元のトラス（１０） （１１） （１４） （１５）構造のために該固定ノードを置換することと、それが、各々の用途に必要とされるあらゆる角度および位置で容器‐孔をその周辺部において軸方向に有する、または、該容器の代わりに、１つの部品（４７）または（４８）が前記車軸（１）の容器および該球体ノードの該アーム（３） （６） （７）に適合し、他の部品が直線の部品（２１）（２５）の端にある２部品の機械的なコネクタ、または、それらの端（２２Ｒ）（２３Ｌ）の対向したねじ切りで２つの球体ノード（３Ｌ） （３Ｒ） （６Ｌ） （６Ｒ） （７Ｌ） （７Ｒ）のそれぞれの容器において該直線の部品（２１）（２５）をねじ止めする（１６）方法、または通しボルトまたはピン（１７）、および、／または溶接（１８） （１９）で使われる相互接続の方法に従って、その周辺部から延長する適切な形状のアームを有することとにおいて特徴付けられる、固定ジョイント・ノード。
【請求項９】
請求項１および７に記載のいかなる材料からいかなるサイズにも構成されるあらゆる形状サイズ、または、強度のトラスの構造のための、管ロッドまたは中空の梁の相互接続のための固定ジョイント・ノードであって、それは、その本体の様々な位置において軸方向に埋め込まれた２部品の機械的なコネクタの前記雌部品（４８）を有するディスク（４９）の形状を有し、一方で、その中心において、別々のトラスの適切な平行した相互接続のための前記車軸（５１）を適合および固定するための、楕円形または他の形状の孔（５０）が存在し、同じ側において該孔の端で埋め込まれた雌部品（４８）を有し、該溝に適合し、ねじで固定されるそれぞれのリングがその中心に埋め込まれた該車軸（５１）の終了のための六角形または他の形状の溝が存在し、その２つの端において、また、同じ方法で互いに個々のアーチの平行した相互接続を可能にするため、埋め込まれ、刻み込まれた該雌部品（４８）を有することと、該ディスク・ノードと同じ直径であるがより少ない幅で、偶然の回転および解錠を防ぐように該雄部品（４７）のそれらの適所への相互接続の後、その中心において該ディスク側のネジで適合されて、固定されるそれぞれの楕円形または他の形状の孔を有するディスク・カバー（５２）もまた存在することとにおいて特徴付けられる、固定ジョイント・ノード。
【発明の詳細な説明】
【技術分野】
【０００１】
本発明は、設計上のデザインおよび装飾的な構造であるが、教育分野のゲーム、モジュール式の橋、屋根の組み立てのモジュール組立体、および、被災地域の特別なニーズにおける即座の覆いの居住施設、温室、足場、小屋、塔などに用いられる主に建築および建設産業での用途における、いかなる形状、サイズまたは強度のトラスをも簡単かつ速い方法で構成するため、いかなる断面またはサイズまたは材料の管ロッド、梁をもそれらの間で相互接続するために使われる様々な機械的なジョイント・ノードに関連する。
【背景技術】
【０００２】
いかなる種類の材料およびサイズの断面の管またはロッドまたは梁でのトラス構造も、各種の用途において常に使われてきた。すべての場合において、主たる問題は常に、管またはロッドまたは梁、すなわち、それらの間のトラス構造の直線の部品を相互接続する方法であった。現在まで通常実行されてきた方法は、各々のトラス構造をケースバイケースで研究し、使用された材料と、各々の直線の部品の断面と、トラスのサイズおよび強度の必要条件とにしたがって解決法を見つけることであった。
【０００３】
木のトラスにおいて、通常の実行法は、現場の技術者またはいくつかの工業的な過程のいずれかによって各々の直線の部品の端を特別に刻み、それらの間を釘および／またはネジおよび／または接着剤で接着する、または、特別に設計されたジョイント・ノードにより、部品を固定することにより構造を完成させる。
【０００４】
金属のトラスにおいて、各々の直線の部品の端は特別に処理され、類似した原理で成形される。例えばそれらは、圧縮によって平坦にされ、孔が平坦な領域で穿設される、または、フランジがネジとの固定のために溶接されるまたは直接溶接される、または、ある種の切欠き／ホルダまたは特別な種類の特に各々の場合に応じて設計されるノードで固定される。装飾的な目的のための用途において、このノードは、ボールジョイント・ノードの孔にどうにかネジ止めまたは溶接または固定することによって相互接続する直線の部品の必要な角度のための必要な位置で孔を有するボールの形状を有する。
【０００５】
上記のレベルの一般の技術的な知識および専門技術の下では、直線の部品およびノードの部品の生産のコストと、トラス構造のコストおよび時間とを下げることを主な目的とした広範囲な用途のための標準化されたジョイント・ノードまたは直線の断面の大量生産の可能性はない。本発明のレベルの専門技術では、直線の部品の端を成形し、直線の一部およびノードの異なる長さ、断面、および、種類のためにそれぞれのノードを設計するための各々の場合において特別な方法を使う必要がある。ボール、孔との相互接続、または、直線の部品の端を平らにする、および、穿設することでの相互接続の場合、ある種の標準化‐主に装飾的なトラスのための‐が存在するが、その場合、コストおよび時間の有意な低下がない。
【０００６】
例えば建物、橋、屋根ふき材、および、一般のカバー等のために強度要素として用いられる大きいサイズおよび重い構造のトラスの場合、完全なトラスまたはその大きい部品は高コストの特別なデザインおよび各々の場合の製造方法で工場において作成される必要があり、建設現場／重機での組み立て現場にトラスおよび／またはその部品を輸送するため、時間がかかりかつ高コストの手順が必要である。
【発明の概要】
【０００７】
本発明の目的は、使用される固定ノードによる固定した形状、サイズまたは強度のトラス構造のための固定角で標準化されたジョイント・ノードの連続した種類のデザインと同様に、あらゆる形、サイズまたは強度のトラス構造のための可変の自動調整角でジョイント・ノードの組み立てのための標準化された構成要素の連続した種類のデザインである。標準化された構成要素または固定角で組立てられる可変の角度のこれらの標準化されたノードは、いかなる特定の用途の必要条件、および、生成コストの有意な減少により、いかなるサイズおよびいかなる材料からでも標準化された連続した生産方法によって生じることができる。
【０００８】
可変のまたは固定したノードでの直線の部品の相互接続は、用途と、ノードおよび直線の部品の材料と、トラス強度の必要条件とにより様々な方法で達成することができる。
【先行技術文献】
【特許文献】
【０００９】
【特許文献１】２００６０１００６９９号公報
【００１０】
管の直線の部品は、それぞれねじ切りがノードの孔にある２つの端で対向したねじ切りを有することができ、一方向へ回転させることによって両方の端にねじ込まれて、反対方向に回転させることによって緩められる。本発明の目的はまた、上記したように２つの端で対向したねじ切りを有する管の直線の部品が、一方向へ回転することにより両端での同時のねじ込みを可能にし、他方へ回転させることにより緩めることを可能にするため、ノードの容器で常にそれぞれの対向したねじ切りを見つけることができるようにアームまたは様々な形のノードの容器の左右のねじ切りを配置／分配する標準化された方法を考案する。この方法は、２００６年１２月２２日出願の特許出願番号２００６０１００６９９にすでに記録されている。
【００１１】
ノードを有する断面の直線の部品の相互接続のための他の方法は、ノードのそれぞれの位置にしっかりと直線の部品を適合させ、通しボルト‐プラグおよび／または溶接でそれを固定することである。
【特許文献２】２００６０１００６７３号公報
【００１２】
最後に、もう一つの方法は、横方向の動きで相互接続し、小さい回転で連結することができ、単純な横方向の動きおよび回転でこれらの端を相互接続する能力を提供するためにあらゆる型の管ロッドの梁の端で固定することができる雄型および雌型の部品から構成される２部品の機械的なコネクタにより各々の端で相互接続を作ることである。この２部品の機械的なコネクタは、２００６年１２月１３日出願の特許出願番号２００６０１００６７３によってすでに記録されている。もう一つの本発明の目的は、この２部品の機械的なコネクタのいずれか１つのノードのアーム／容器への埋め込みである。
【００１３】
本発明の利点は、以下の通りである：
１．標準化された連続した生産の工業的な方法でのあらゆる種類の用途のための様々な標準化されたノードの生産による、構成要素の標準化、および、トラスの構造組み立ての方法によるノードおよび直線の部品と、最終的なトラス構造との生産コストの有意な減少。
２．簡単かつ迅速な組み立て‐分解と同様に、構造手順の単純化および標準化によるトラス組み立て時間の最小化。
３．あらゆる型、サイズ、および、強度のトラス構造の迅速な設計の無限の可能性。
４．設置の現場での専門的でない要員によるトラス構造の組み立ての可能性、および、持ち上げ装置の最小の必要性。
５．選ばれた相互接続方法に応じて直線の部品の端での穿設またはねじ切りおよび／または溶接に続く、必要な長さでの直線の部品の切断のための単純な携帯型装置の平行した使用による建設現場でトラスの直線の部品の生産のための一般取引からの標準の管ロッド、梁の使用の可能性。
６．ノードのアームを有する直線の部品のすべての相互接続する端での均質性および等しい機械的強度の絶対の保証、および、直線の部品およびノードの生産の間と現場でのトラスの組み立ての間との両方における人為ミスからの絶対の非従属。
【図面の簡単な説明】
【００１４】
【図１】二次元の単一の横のトラスの構造の可変ノードのすべての構成要素を示す。
【図２】完全に組み立てられた上記のノードの４つの図を示す。
【図３】小さい（３）および大きい移動（４）アームの２つの図および２つの切断部を示す。
【図４】二次元の単一の横のトラスと管の直線の部品（２１）との構造のための可変ノードを有する直線のトラス構造（２０）の２つの図を示す。
【図５】管の部品（２５）と互いに平行に相互接続される図面４において示される多くの直線のトラス（２０）から形成される三次元の平坦な面のトラス構造（２４）の図を示す。
【図６】二次元の単一の横のトラス、および、管の直線の部品（２１）の構造のための可変ノードを有する二次元の屈曲されたトラス構造（２６）の２つの図を示す。
【図７】管の部品（２５）と互いに平行に相互接続する図面６において示される多くの屈曲されたトラス構造（２６）から形成される三次元の屈曲された平面トラス構造（２７）の図を示す。
【図８】二次元の単一の横のトラス、および、直線の管一部（２１）の構造のための可変ノードを有する特別な形状の二次元のトラス構造（２８）の１つの図を示す。
【図９】特別な形状の二次元のもう１つのトラス構造（２９）の１つの図を示す。
【図１０】二次元の二重の横のトラスの構造のための可変ノードの構成要素を示す。
【図１１】完全に組立てられた二次元の二重の横のトラス構造のための上記のノードの４つの図を示す。
【図１２】二次元の二重の横のトラス構造のための大きい移動アーム（５）の３つの図を示す。
【図１３】二次元の二重の横のトラスと、管の直線の部品（２１）の構造のための可変ノードを有する直線のトラス構造（３０）の２つの図を示す。
【図１４】管の直線の部品（２５）と互いに平行に相互接続する図面１３において示される３つの直線のトラス構造（３０）から形成される三次元の平面のトラス構造（３１）の図を示す。
【図１５】二次元の二重の横のトラスおよび管の直線の部品（２１）の構造のための可変ノードを有する二次元の屈曲されたトラス構造（３２）の２つの図を示す。
【図１６】三次元の単一の横のトラスの構造の可変ノードの構成要素を示す。
【図１７】完全に組立てられた三次元の単一の横のトラスの構造のための上記のノードの４つの図を示す。
【図１８】三次元の単一の横のトラス構造の可変ノードの大きい移動アーム（６）の３つの図を示す。
【図１９】三次元の単一の横のトラス、および、管の直線の部品（２１）の構造のための可変ノードを有する三次元の直線のトラス構造（３３）の図を示す。
【図２０】管の直線の部品（２５）と平行に相互接続する図面１９において示される３つのトラス構造から形成される三次元の平面トラス構造（３４）の図を示す。
【図２１】三次元の単一の横のトラス、および、管の直線の部品（２１）の構造のための可変ノードを有する三次元の屈曲されたトラス構造（３５）の２つの図を示す。
【図２２】管の直線の部品（２５）と平行して相互接続する図面２１において示される２つの屈曲されたトラス構造（３５）の１つの図（３６）を示す。
【図２３】互いに直接相互接続する図面２１の２つの屈曲されたトラス構造の１つの図（３７）を示す。
【図２４】他の部品（３８）に互いに直接相互接続する図面２１の４つの屈曲されたトラス構造（３５）の１つの図を示す。
【図２５】三次元の二重の横のトラスの構造の可変ノードの構成要素を示す。
【図２６】完全に組立てられた三次元の二重の横のトラス構造のための上記のノードの３つの図を示す。
【図２７】三次元の二重の横のトラス構造のための大きい移動アーム（７）の３つの図を示す。
【図２８】三次元の二重の横のトラスおよび管の直線の部品（２１）の構造のための可変ノードを有する三次元の直線のトラス構造（３９）の図を示す。
【図２９】より高い強度のために、車軸（１）を通じた平行の部品（２５）を有する追加の相互接続で一方向に２つの同一のトラスで直接相互接続する前のトラス構造（３９）から形成される組み合わされた三次元の直線のトラス構造（４０）の１つの図を示す。
【図３０】二次元の単一の横が直線の形状のトラス構造のための直線の固定したノード（８）の４つの図を示す。
【図３１】二次元の二重の横の直線の形状のトラス構造のための直線の固定したノード（９）の４つの図を示す。
【図３２】三次元の単一の横の直線の形状のトラス構造のための直線の固定ノード（１０）の４つの図を示す。
【図３３】三次元の二重の横の直線の形状のトラス構造のための直線の固定ノード（１１）の４つの図を示す。
【図３４】特定の角度ＸおよびＹでの二次元の単一の横の屈曲された形状のトラス構造のための屈曲された固定ノード（１２）の２つの図を示す。
【図３５】特定の角度ＸおよびＹでの二次元の二重の横の屈曲された形状のトラス構造のための屈曲された固定ノード（１３）の２つの図を示す。
【図３６】特定の角度ＸおよびＹでの三次元の単一の横の屈曲された形状のトラス構造のための屈曲された固定ノード（１４）の２つの図を示す。
【図３７】特定の角度ＸおよびＹでの三次元の二重の横の屈曲された形状のトラス構造のための屈曲された固定ノード（１５）の２つの図を示す。
【図３８】ノードのアームにおける容器の孔の内側のあらゆる断面（２１）（２５）の直線の部品の相互接続方法を示す３つの部品（１６）（１７）（１８）と、アームの容器の外側の断面の中空の梁の直線の部品（２１）（２５）のそれぞれの相互接続方法を示す１つの図の部品（１９）とを示す。
【図３９】以下の組合せの大きい移動アームの３つの組み合わされた可変ノードを示す：大きいアーム（５）（４１）と大きいアーム（４）、大きいアーム（６）（４２）と大きいアーム（４）、大きいアーム（７）（４３）と大きいアーム（４）。
【図４０】以下の組合せの大きい移動アームの３つの組み合わされた可変ノードを示す：大きいアーム（６）（４４）と大きいアーム（５）、大きいアーム（７）（４５）と大きいアーム（５）、大きいアーム（７）（４６）と大きいアーム（６）。
【図４１】あらゆる断面またはサイズ、雄部品（４７）および雌部品（４８）の管ロッド、梁の横方向の相互接続のための２部品の機械的なコネクタの部品を示す。
【図４２】２部品（４７）（４８）の２つの断面を示す。
【図４３】かみあいのために回転する前のそれらの接合の第１段階で相互接続する２部品を示し、その両方が適所にある２つの断面を示す。
【図４４】最終段階の位置において連結される２部品および２つの断面を示す。
【図４５】片側で６０°ごとに軸方向に埋め込まれた雌部品を有する固定ディスク・ノード（４９）を示す。
【図４６】楕円形の孔と六角形の溝との小さい（ＡＡ）および、大きい（ＢＢ）直径を示す２つの断面における、適所および六角形の溝（５０）に適合される車軸（５１）と共に上記の指示的固定ディスク・ノード（４９）を示す。
【発明を実施するための形態】
【００１５】
本発明は添付の図面に関して後述され、そこで、対向したねじ切りの方法と同様に、異なる構成要素ノード、および、示されるトラス構造の様々な連続と、２部品の機械的なコネクタとが詳細に示される。構成要素とノードのすべての異なる図面には個々に番号がつけられ、すべての部品およびモデルのより簡単な認識のため、各々の部品は、その使用法および操作上の特徴により特徴的な名前を与えられる。
【００１６】
図面１／４６は、二次元の単一の横のトラスの構造の可変ノードのすべての構成要素を示す。２つの同一の小さい移動アーム（３）が２つの同一の大きい移動アーム（４）の孔に挿入され、ナット（２）により端で固定される車軸（１）にすべてが一緒に組立てられる。アームおよびプラグの端の断面は、例えば円柱形のようないかなる形状も有することができる。
【００１７】
図面２／４６は、完全に組み立てられた上記のノードの４つの図を示す。２つの大きい移動アーム（４）間で形成される角度Ｘは変化することができ、車軸（１）上の２つの大きいアームの自在の回転で自動調節することができる。１つの大きい移動アーム（４）と関連する小さい移動アーム（３）との間で形成される角度Ｙは変化することができ、小さい移動アームの断面の幅より大きい動きの方向に側部の長さを有する関連する大きい移動アーム（４）上の孔によって許容される限度内で小さいアーム（３）の自在の回転で自動調節することができる。
【００１８】
小さい移動アーム（３）、および、ナット（２）を有する車軸（１）は、さらに以下に説明されるように対向したねじ止めの相互接続方法のため孔において対向しねじ切ることを除いてはそれらが同じサイズである限り、後述の可変ノードのすべてのタイプと同じ共通の構成要素である。
【００１９】
図面３／４６は、小さい（３）および大きい移動（４）アームの２つの図および２つの切断部を示す。
【００２０】
図面４／４６は、二次元の単一の横のトラスと管の直線の部品（２１）との構造のための可変ノードを有する直線のトラス構造（２０）の２つの図を示す。詳細ＪおよびＫの拡大した２つのノードは、各々の直線の部品の２つの端で対向したねじ切りおよびアームの容器のそれぞれのねじ切りでネジ止めすることによる、管の直線の部品の相互接続の方法を示す。右時計回り回転（２２Ｒ）でねじ込まれる直線の部品の端は文字Ｒによって印をつけられ、および、端左反時計回り回転（２３Ｌ）でねじ込まれる端は文字Ｌによって印をつけられる。それぞれ、各々のノードにおいて使われる小さいおよび大きいアームの容器は、ノードの位置に従い右時計回りまたは左反時計回りの回転のねじ止めを受け入れるのに適切なねじ切りを有し、それぞれ文字ＲおよびＬ（３Ｒ）（３Ｌ）（４Ｒ）（４Ｌ）で印をつけられた。角度ＸおよびＹは、直線の部品の長さによって自己調整され、安定される。
【００２１】
図面５／４６は、管の部品（２５）と互いに平行に相互接続される図面４／４６において示される多くの直線のトラス（２０）から形成される三次元の平坦な面のトラス構造（２４）の図を示す。同一の平行の二次元のトラスのこの相互接続は、各々の直線の管の部品（２５）の２つの端で対向したねじ切りと、車軸（１）の２つの端のそれぞれの対向したねじ切りとによって再び達成することができる。この相互接続方法は、相互接続した三次元のトラスの拡大詳細図Ｋにおいて示される。
【００２２】
対向したねじ切りでねじ止めすることによる相互接続の方法における一般的な原理は、各々の直線の部品がその２つの端で対向したねじ切りを有して、左のねじ切りを有する２、３を除いて右のねじ切りのすべての容器を有する右にねじ切られたもの、および、反対の状態を有するトラス構造において対向した右のねじ切りに置かれる左にねじ切られたもの、すなわち、右のねじ切りを有する２、３を除いて左のねじ切りのすべての容器を有するという、１つのトラスにおいて２種類の組立てられたノードがあることである。
【００２３】
図面４／４６、５／４６の各々のノードにおいて、ノードにおいてすべての他のものから対向したねじ切りを有する２つの容器があり、１つは小さい移動アーム（３）にあり、もう１つは車軸の一端にある。各々のノードにおいてすべての他のものから対向したねじ切りを有する３つの容器がある場合は、以下に示される。
【００２４】
図面６／４６は、二次元の単一の横のトラス、および、管の直線の部品（２１）の構造のための可変ノードを有する二次元の屈曲されたトラス構造（２６）の２つの図を示す。
【００２５】
図面７／４６は、管の部品（２５）と互いに平行に相互接続する図面６／４６において示される多くの屈曲されたトラス構造（２６）から形成される三次元の屈曲された平面トラス構造（２７）の図を示す。この相互接続は、図面５／４６において示される平面のトラスに関して、管の部品（２５）の端で対向したねじ切りと、プラグ（１）の２つの端のそれぞれの対向したねじ切りとによって再び達成することができる。
【００２６】
図面８／４６は、二次元の単一の横のトラス、および、直線の管一部（２１）の構造のための可変ノードを有する特別な形状の二次元のトラス構造（２８）の１つの図を示す。
【００２７】
図面９／４６は、特別な形状の二次元のもう１つのトラス構造（２９）の１つの図を示す。
【００２８】
可変ノードに関して、直線の部品の長さにより定められる角度ＸおよびＹによる制限の範囲内でいかなる形状の二次元または三次元のトラスをも構成することが可能である。
【００２９】
いかなる特別な形状のいかなる二次元のトラスも、管の部品（２５）の端で対向したねじ切りと、特別な形状のそれぞれの三次元のトラスの構造のための車軸（１）の２つの端のそれぞれの対向したねじ切りとの方法を使用して、直線の管の部品（２５）で互いに同一のトラスと平行に相互接続することができる。
【００３０】
図面１０／４６は、二次元の二重の横のトラスの構造のための可変ノードの構成要素を示す。２つの同一の小さい移動アーム（３）は２つの同一の大きい移動アーム（５）に存在している孔に挿入され、すべての４つのアームは、二次元の単一の横のトラス構造のための上記の可変ノードと同じ発明の原理により、ナット（２）で端に固定された車軸（１）によって相互接続される。
【００３１】
図面１１／４６は、完全に組立てられた二次元の二重の横のトラス構造のための上記のノードの４つの図を示す。角度ＸおよびＹは、上の二次元の単一の横のトラス構造の可変ノードの場合のように変化することができる。
【００３２】
図面１２／４６は、二次元の二重の横のトラス構造のための大きい移動アーム（５）の３つの図を示す。
【００３３】
図面１３／４６は、二次元の二重の横のトラスと、管の直線の部品（２１）の構造のための可変ノードを有する直線のトラス構造（３０）の２つの図を示す。詳細の拡大図ＡおよびＢにおける２つのノードは、上の図面４／４６および５／４６の二次元の単一の横のトラス構造の可変ノードと同じ発明の原理で各々の部品の端で対向したねじ切りと、アームの容器のそれぞれのねじ切りとによってねじ止めすることによる管の直線の部品の相互接続の方法を示す。
【００３４】
図面１４／４６は、管の直線の部品（２５）と互いに平行に相互接続する図面１３／４６において示される３つの直線のトラス構造（３０）から形成される三次元の平面のトラス構造（３１）の図を示す。この相互接続は拡大詳細図Ｈにて図示したように、各々の直線の管の部品（２５）の２つの端の対向したねじ切りと、プラグ（１）の２つの端のそれぞれの対向したねじ切りとによって再び達成することができる。
【００３５】
図面１５／４６は、二次元の二重の横のトラスおよび管の直線の部品（２１）の構造のための可変ノードを有する二次元の屈曲されたトラス構造（３２）の２つの図を示す。詳細拡大図Ｊのノードは、上述の屈曲されたトラスを形成するためのアームによる屈曲を示す。
【００３６】
図面１６／４６は、三次元の単一の横のトラスの構造の可変ノードの構成要素を示す。２つの同一の小さい移動アーム（３）は２つの同一の大きい移動アーム（６）に存在している孔に挿入され、すべての４つのアームは、上の図面１／４６および１０／４６において示される二次元の単一または二重の横のトラス構造のための可変ノードと同じ発明の原理によりナット（２）で端に固定された車軸（１）によって相互接続する。
【００３７】
図面１７／４６は、完全に組立てられた三次元の単一の横のトラスの構造のための上記のノードの４つの図を示す。角度ＸおよびＹは、上の図面２／４６および１１／４６において示される二次元の単一または二重の横のトラス構造のための可変ノードの場合のように変化することができる。
【００３８】
図面１８／４６は、三次元の単一の横のトラス構造の可変ノードの大きい移動アーム（６）の３つの図を示す。
【００３９】
図面１９／４６は、三次元の単一の横のトラス、および、管の直線の部品（２１）の構造のための可変ノードを有する三次元の直線のトラス構造（３３）の図を示す。詳細拡大図ＨおよびＧにおける２つのノードは、各々の部品の２つの端で対向したねじ切りと、アームの容器におけるそれぞれのねじ切りとによってねじ止めすることによって、上の他の可変ノードと同じ発明の原理による管の直線の部品（２１）の相互接続の方法を示す。
【００４０】
図面２０／４６は、管の直線の部品（２５）と平行に相互接続する図面１９／４６において示される３つのトラス構造から形成される三次元の平面トラス構造（３４）の図を示す。この相互接続は、各々の直線の管の部品（２５）の端の対向したねじ切りと、車軸（１）の２つの端のそれぞれの対向したねじ切りとによって再び達成することができる。
【００４１】
図面２１／４６は、三次元の単一の横のトラス、および、管の直線の部品（２１）の構造のための可変ノードを有する三次元の屈曲されたトラス構造（３５）の２つの図を示す。詳細拡大図Ｆ、Ｅのノードは、上述の屈曲されたトラスを形成するためのアームによる屈曲を示す。
【００４２】
図面２２／４６は、管の直線の部品（２５）と平行して相互接続する図面２１／４６において示される２つの屈曲されたトラス構造（３５）の１つの図（３６）を示す。この相互接続は、管の部品の端の対向したねじ切りと、車軸（１）の２つの端のそれぞれの対向したねじ切りとによって再び達成することができる。
【００４３】
図面２３／４６は、互いに直接相互接続する図面２１／４６の２つの屈曲されたトラス構造の１つの図（３７）を示す。
【００４４】
図面２４／４６は、他の部品（３８）に互いに直接相互接続する図面２１／４６の４つの屈曲されたトラス構造（３５）の１つの図を示す。
【００４５】
図面２５／４６は、三次元の二重の横のトラスの構造の可変ノードの構成要素を示す。２つの同一の小さい移動アーム（３）は、２つの同一の大きい移動アーム（７）に存在している孔に挿入され、すべての４つのアームは、上の図面１／４６、１０／４６、および、１６／４６において示される他の可変ノードと同じ発明の原理によりナット（２）で端に固定された車軸（１）によって相互接続する。
【００４６】
図面２６／４６は、完全に組立てられた三次元の二重の横のトラス構造のための上記のノードの３つの図を示す。角度ＸおよびＹは、上の図面２／４６、１１／４６、および、１７／４６において示される他の可変ノードの場合のように変化することができる。
【００４７】
図面２７／４６は、三次元の二重の横のトラス構造のための大きい移動アーム（７）の３つの図を示す。
【００４８】
図面２８／４６は、三次元の二重の横のトラスおよび管の直線の部品（２１）の構造のための可変ノードを有する三次元の直線のトラス構造（３９）の図を示す。詳細拡大図ＢおよびＣの２つのノードは、各々の部品（２２Ｒ）（２３Ｌ）の２つの端、および、ノード（３Ｒ）（３Ｌ）（４Ｒ）（４Ｌ）のアームで対向したねじ切りで直線の部品をねじ止めすることによる相互接続の方法を示す。
【００４９】
三次元のトラス構造のためのノードの場合、ノードの他の容器から対向したねじ切りを有する各々のノードにおいて３つの容器が存在する。
【００５０】
図面２９／４６は、より高い強度のために、車軸（１）を通じた平行の部品（２５）を有する追加の相互接続で一方向に２つの同一のトラスで直接相互接続する前のトラス構造（３９）から形成される組み合わされた三次元の直線のトラス構造（４０）の１つの図を示す。屈曲されたトラス構造もまた、この可変ノードで可能である。
【００５１】
特定の形状のトラス構造の場合、永続的な設置または取り外し可能／再組立てされた設置のいずれかのため、ノードの角度ＸおよびＹは予め選択されていてかつ特定なものであり、ノード上でこれらの角度を変化させる可能性を有する必要はない。これらの場合において、特定の固定ノードの最終的なコストが等しいサイズおよび強度の可変ノードのそれぞれのコストより低い可能性があるので、固定ノードの必要な量が特定の角度ＸおよびＹでの大量生産のための型のコストを正当化すると仮定するならば、ノードは固定することができる。後述する固定ノードは、可変ノードと同じ目的および利点を達成し、より多いコスト減少およびトラス構造手順の簡略化を達成するように、可変ノードの変形物を構成するため、上記の可変ノードと同じ発明の原理によって設計された。
【００５２】
１つの固定ノードは、直線のトラス構造の角度の合計が２Ｙ＋Ｘ＝１８０°である場合直線であってもよく、または、特定の形状の屈曲されたトラス構造の角度２Ｙ＋Ｘの合計が１８０°より大きいまたは小さい場合、屈曲されてもよい。直線および屈曲された固定ノードと、可変ノードとはそれ自体の間で組み合わされ、いかなる形状の１つの単一のトラス構造においても使うことができる。
【００５３】
図面３０／４６は、二次元の単一の横が直線の形状のトラス構造のための直線の固定したノード（８）の４つの図を示す。
【００５４】
図面３１／４６は、二次元の二重の横の直線の形状のトラス構造のための直線の固定したノード（９）の４つの図を示す。
【００５５】
上記の２つの図面３０／４６、３１／４６において、アームの端は、それぞれの孔で適合する管の直線の部品の代わりに外側で適合するそれぞれの断面を有する、中空の梁での相互接続の可能なオプションを示すため、外側が正方形の形状で示される。
【００５６】
上記の２つの固定ノードは、中心およびディスク側に垂直に組み込まれる車軸（１）で、特定の直径および幅を有するディスク形状の１つのノードにより置き換えることができる。アームは、各々の用途に必要ないかなる角度でディスク周辺部の容器によって置き換えられてもよい。あるいは、容器の場所において、使用される相互接続の方法に必要な場合、いかなる直径のアームも存在する可能性がある。ディスク周辺におけるアームまたは容器の数、および、それらの位置は、各々の用途の必要性によって選択することができる。
【００５７】
図面３２／４６は、三次元の単一の横の直線の形状のトラス構造のための直線の固定ノード（１０）の４つの図を示す。
【００５８】
図面３３／４６は、三次元の二重の横の直線の形状のトラス構造のための直線の固定ノード（１１）の４つの図を示す。
【００５９】
上記の２つの固定ノードは、必要な位置での容器または上のディスクのようにそれぞれ周辺部から延長しているアームで、特定の直径の球体の形状を有する１つのノードと置き換えることができる。
【００６０】
図面３４／４６は、特定の角度ＸおよびＹでの二次元の単一の横の屈曲された形状のトラス構造のための屈曲された固定ノード（１２）の２つの図を示す。各々の特定のモデルにおいて、文字ＸおよびＹは２つの角度の実際の度合いにより置き換えられる。
【００６１】
図面３５／４６は、特定の角度ＸおよびＹでの二次元の二重の横の屈曲された形状のトラス構造のための屈曲された固定ノード（１３）の２つの図を示す。
【００６２】
上記の２つの図面３４／４６、 ３５／４６において、アームの端は、それぞれの孔で適合する管の直線の部品の代わりに外側で適合するそれぞれの断面を有する、中空の梁での相互接続の可能なオプションを示すため、外側が正方形の形状で示される。
【００６３】
図面３６／４６は、特定の角度ＸおよびＹでの三次元の単一の横の屈曲された形状のトラス構造のための屈曲された固定ノード（１４）の２つの図を示す。
【００６４】
図面３７／４６は、特定の角度ＸおよびＹでの三次元の二重の横の屈曲された形状のトラス構造のための屈曲された固定ノード（１５）の２つの図を示す。
【００６５】
上記の２つの固定ノードは、上の図面３２／４６、３３／４６の場合のように球体の形状で１つのノードにより置き換えることができる。
【００６６】
図面３８／４６は、ノードのアームにおける容器の孔の内側のあらゆる断面（２１）（２５）の直線の部品の相互接続方法を示す３つの部品（１６） （１７） （１８）と、アームの容器の外側の断面の中空の梁の直線の部品（２１）（２５）のそれぞれの相互接続方法を示す１つの図の部品（１９）とを示す。第１の図（１６）はねじ込みによる管の直線の部品の相互接続を示し、第２の図（１７）は貫通ピンボルトでのあらゆる断面の直線の部品の相互接続を示し、第３の図（１８）は溶接でのあらゆる断面の直線の部品の相互接続を示す。最初の２つの場合（１６） （１７）において、より高い強度のために溶接を使用することができる。第４の図（１９）は、貫通ピンボルトおよび／または溶接での中空の梁の相互接続を示す。直線の部品は、アームのそれぞれの容器内側または外側でしっかりと適合するいかなる断面も有することができ、貫通ピンボルトおよび／または溶接で相互接続される。アームの容器の断面は、互いにしっかりと適合する限り必ずしも直線の部品のそれぞれの断面と同様である必要はない。例えば、星の形状の断面を有する直線の部品は、丸い容器の内側または外側にしっかりと適合することができ、貫通ピンボルトおよび／または溶接で固定されて相互接続される。直線の部品の断面の様々な形状は、装飾の目的のために、アルミニウムまたは例えばプラスチックまたはガラスのような他の適切な材料の軽いトラス構造で広い用途を有することができる。
【００６７】
貫通ピンボルトの場合、ノードのアームを、手近な孔によって直接生じさせることができるので、建設現場では、一般の携帯型穿設装置で、管または矩形または他のいかなる形状の直線の部品においても孔を穿設する必要があるだけである。
【００６８】
すべてのタイプおよびサイズの可変および固定ノードは、建物のまたは設計上のまたは装飾的なまたは芸術的なデザインの特別な必要条件により、１つのトラス構造においてそれ自身の間で非常に容易に組み合わせることができる。異なる種類のノードであるが同じサイズの（４）または（５）または（６）または（７）の２つの大きい移動アームは、１つの同じサイズ車軸（１）上で、２つの同じサイズの小さい移動アーム（３）と共に組立てられることができ、したがって、非常に特別な用途の構造ために組み合わされた可変ノードを形成する。
【００６９】
図面３９／４６は、以下の組合せの大きい移動アームの３つの組み合わされた可変ノードを示す：大きいアーム（５）（４１）と大きいアーム（４）、大きいアーム（６）（４２）と大きいアーム（４）、大きいアーム（７）（４３）と大きいアーム（４）。
【００７０】
図面４０／４６は、以下の組合せの大きい移動アームの３つの組み合わされた可変ノードを示す：大きいアーム（６）（４４）と大きいアーム（５）、大きいアーム（７）（４５）と大きいアーム（５）、大きいアーム（７）（４６）と大きいアーム（６）。
【００７１】
図面４１／４６は、あらゆる断面またはサイズ、雄部品（４７）および雌部品（４８）の管ロッド、梁の横方向の相互接続のための２部品の機械的なコネクタの部品を示す。
【００７２】
雄部品はより小さい直径のそれぞれ同軸の円柱形の孔を有する円柱形の形状を一端で有し、シリンダ表面の内側または外側にねじ切りを有することができる。その部品の残りの長さは上記の端のシリンダの外側より小さい直径の円柱形の形状を有し、より小さい直径の他の孔へのそれぞれ同軸の貫通孔を有し、さらに軸に垂直に、２つの端で円形の形状を有し、２つの側部で平らである１つまたは２つ以上の翼を有する。具体的には、各々の翼の周辺の表面は、その両側壁から２つの平行アーチの切抜きを有する円である。２つの平坦な側部間の幅は、小さいシリンダの直径に等しい。
【００７３】
雌部品は雄部品より小さい直径の同軸の円柱形の孔を有する円柱形の形状を有し、その本体に沿った長さに、平行な平らな側部と雄部品の翼の平坦な側部と等しい幅とを有する側溝が存在する。側溝は雄部品の翼を有する小さいシリンダのそれと同じ直径を有して下部で円形の表面を有し、シリンダの軸に垂直に、それぞれの位置で円形の形状と、雄部品の翼と同じ寸法とを有する溝を有するので、翼は溝の内側で正確に適合することができる。
【００７４】
平行四辺形の代わりに雄部品の翼の形状／断面は、楔の上部で円形の形状を有する円錐‐楔のような他のいかなる形状も有することができ、雌部品のそれぞれの溝は、より良い適合、より簡単な連結、および、２部品のかみあいのための類似した形状を有することができる。
【００７５】
図面４２／４６は、２部品（４７）（４８）の２つの断面を示す。
【００７６】
図面４３／４６は、かみあいのために回転する前のそれらの接合の第１段階で相互接続する２部品を示し、その両方が適所にある２つの断面を示す。相互接続の第１段階で、雄部品は側溝の端に届くまで雌部品に横に挿入される。
【００７７】
図面４４／４６は、最終段階の位置において連結される２部品および２つの断面を示す。相互接続の第２のおよび最終段階において、雄部品（４７）または雌部品（４８）は第１の段階後の位置から、どちらか一方の方向に最高９０°他の部品の内側へ回転され、２部品はプラグまたはばねまたはしっかりした適合または他の簡単な方法のようないくつかの係止方法で９０°の位置でかみあう結果となる。加えて、かみあったコネクタ側に残る自由空間は、部品の偶然の回転および開放から守るためのプラグまたは固定材料で満たされてもよい。
【００７８】
雄または雌部品の外側の形状は、装飾的なまたは他の必要条件をカバーするようにトラスにおいて相互接続する管ロッド、梁の形状に適合するため、円柱形の代わりに、円錐、平行６面体、多角形その他のような他のいかなる形状も有することができる。
【００７９】
直線の部品の端での２部品の連結‐適合は、各々の用途の特別なニーズに従い様々な方法で遂行される可能性がある。いかなる材料の管においても、連結は、管における部品のまたは部品における管のねじ込み、またはその変形例である管での部品の溶接または圧着によって実行することができる。この方法論で、２部品の機械的なコネクタのある特定の寸法は、強度の必要条件が完全にカバーされる限り２つのサイズの管に役立つことができる。ロッドおよび梁において、連結は、溶接、または圧着、プラグのような他の方法によって実行されてもよい。いかなる断面またはサイズの管ロッド、梁の横方向の相互接続のための２部品の機械的なコネクタも、各々の用途の特別なニーズに従い、いかなるサイズまたは特別な形状、寸法のいかなる材料から構成されてもよい。
【００８０】
上記のノードのすべての場合において、ノードから延長しているアームはオリジナルの製造から２部品コネクタの雄（４７）または雌（４８）部品の形状を有することができ、他のそれぞれの部品は、トラスの直線の部品の端に適合することができる。このシステムでトラスの組み立て‐分解は、非常に速くかつ簡単な方法で遂行される。
【００８１】
ディスク・ノードの場合、２部品の機械的なコネクタの雌部品（４８）の形状は、特定の用途で必要とされる位置および角度でどちらか一方または両側においてディスク本体に軸方向に埋め込まれ、刻み込むことができる。ディスクに埋め込まれた雌部品への雄部品（４７）の相互接続の後、ディスクの側は、偶然の回転の最終的な実行のためのそれぞれのサイズ、ディスク・カバーでカバーされ、固定される。
【００８２】
図面４５／４６は、片側で６０°ごとに軸方向に埋め込まれた雌部品を有する固定ディスク・ノード（４９）を示す。ディスクの中央において、個々のトラスの平行した互いの、および、同じ側の雌部品との相互接続のための車軸（５１）に適合する楕円形の孔（５０）が存在し、車軸（５１）を適合しかつ固定するための六角形のまたは他の形状の溝が存在する。
【００８３】
図面４６／４６は、楕円形の孔と六角形の溝との小さい（ＡＡ）および、大きい（ＢＢ）直径を示す２つの断面における、適所および六角形の溝（５０）に適合される車軸（５１）と共に上記の指示的固定ディスク・ノード（４９）を示す。車軸は、溝（５０）内で適合し、ネジで適所に固定されるそれぞれのリングを中央に有し、一方で、同じ方法で互いに個々のアーチの平行した相互接続を可能にするため、その２つ端で、埋め込まれて刻み込まれた雌部品（４８）を有する。加えて、ディスク・ノードと同じ直径であるがより少ない幅のディスク・カバー（５２）、および、それぞれの楕円形の孔は、雄部品の相互接続の後、偶然の回転および開放を防ぐように固定するために適合され、ディスク側のネジで固定される。
【００８４】
一般に本発明は、建設者、土木技師、建築家、装飾家や、彫刻家、アーティスト、および、子供または学生（遊びまたは訓練のため）にさえも、他の技術的な方法より可能な限り低い一般コスト、および、容易さであらゆる実行可能な用途のためのトラス構造の設計の無限の可能性を与える。
2010523848.tif 000003
2010523848.tif 000004
2010523848.tif 000005
2010523848.tif 000006
2010523848.tif 000007
2010523848.tif 000008
2010523848.tif 000009
2010523848.tif 000010
2010523848.tif 000011
2010523848.tif 000012
2010523848.tif 000013
2010523848.tif 000014
2010523848.tif 000015
2010523848.tif 000016
2010523848.tif 000017
2010523848.tif 000018
2010523848.tif 000019
2010523848.tif 000020
2010523848.tif 000021
2010523848.tif 000022
2010523848.tif 000023
2010523848.tif 000024
2010523848.tif 000025
2010523848.tif 000026
2010523848.tif 000027
2010523848.tif 000028
2010523848.tif 000029
2010523848.tif 000030
2010523848.tif 000031
2010523848.tif 000032
2010523848.tif 000033
2010523848.tif 000034
2010523848.tif 000035
2010523848.tif 000036
2010523848.tif 000037
2010523848.tif 000038
2010523848.tif 000039
2010523848.tif 000040
2010523848.tif 000041
2010523848.tif 000042
2010523848.tif 000043
2010523848.tif 000044
2010523848.tif 000045
2010523848.tif 000046
2010523848.tif 000047
2010523848.tif 000048
【国際調査報告】
2010523848.tif 000049
2010523848.tif 000050
2010523848.tif 000051